(57)【特許請求の範囲】
【請求項１】
光ビームを出射する光源と、該光源から出射された光ビームを主走査方向に偏向させるとともに主走査方向に走査させる走査手段と、該走査手段によって主走査方向に偏向されるとともに主走査方向に走査された光ビームを反射する反射鏡と、を有する光走査装置における前記反射鏡を保持する反射鏡保持具であって、
（イ）前記反射鏡保持具には、前記反射鏡の鏡面側を支持する支持部材と、前記反射鏡の鏡面の裏面側を押圧して支持する押圧部材と、前記反射鏡の鏡面側または裏面側を押し込む押込部材と、が設けられ、
（ロ）前記支持部材および前記押圧部材が、それぞれ前記反射鏡保持具の両端部に設けられ、かつ、
（ハ）前記押込部材が、前記反射鏡保持具の一端部に設けられており、
前記反射鏡が、帯板形状を有し、
前記反射鏡保持具が、主走査方向に延在する帯板部分と、該帯板部分の対向一対の長辺それぞれから立ち上がった対向一対の壁部分と、を有し、主走査方向と直交する断面が略コ字型形状となり、前記帯板部分に前記反射鏡の前記裏面が対向するように前記反射鏡を収納するものであり、
前記支持部材および前記押圧部材が、それぞれ前記反射鏡保持具の長手方向両端部に設けられ、
前記対向一対の壁部分の何れか一方の壁部分には、該一方の壁部分の前記一端部側における前記反射鏡の鏡面側の縁から、前記鏡面に向かって傾斜して延出した第一取付片、または、前記一端部側における前記反射鏡の裏面側の縁から、前記裏面に向かって傾斜して延出した第二取付片が設けられており、
前記押込部材が、前記第一取付片または前記第二取付片に取り付けられている
ことを特徴とする反射鏡保持具。
【請求項２】
前記押込部材が、前記支持部材よりも前記反射鏡保持具の中心側に設けられていることを特徴とする請求項１に記載の反射鏡保持具。
【請求項３】
前記押圧部材が、前記支持部材よりも前記反射鏡保持具の中心側または前記支持部材よりも前記反射鏡保持具の端部側に設けられていることを特徴とする請求項１又は請求項２に記載の反射鏡保持具。
【請求項４】
前記押込部材が、前記反射鏡の全長Ｌに対して、前記反射鏡の一端から１／４Ｌ＜１／２Ｌの範囲、または、前記一端から１／２Ｌ＜３／４Ｌの範囲、に設けられていることを特徴とする請求項１〜請求項３のいずれか一項に記載の反射鏡保持具。
【請求項５】
前記押込部材が、前記反射鏡保持具に複数設けられていることを特徴とする請求項１〜請求項４のいずれか一項に記載の反射鏡保持具。
【請求項６】
前記押込部材が、固定手段によって固定されていることを特徴とする請求項１〜請求項５のいずれか一項に記載の反射鏡保持具。
【請求項７】
前記固定手段が、光硬化型接着剤とされていることを特徴とする請求項６に記載の反射鏡保持具。
【請求項８】
光ビームを出射する光源と、該光源から出射された光ビームを主走査方向に偏向させるとともに主走査方向に走査させる走査手段と、該走査手段によって主走査方向に主走査方向に偏向されるとともに主走査方向に走査された光ビームを反射する反射鏡と、を有する光走査装置において、
前記反射鏡が、請求項１ないし請求項７のいずれか一項に記載の反射鏡保持具によって保持されていることを特徴とする光走査装置。
【請求項９】
前記反射鏡の傾きを調整して前記光ビームの反射方向を調整する調整手段を、さらに有することを特徴とする請求項８に記載の光走査装置。
【請求項１０】
請求項８または請求項９に記載の光走査装置と、該光走査装置から出射された光ビームによって潜像が形成される潜像担持体と、該潜像担持体に形成された潜像を現像する現像手段と、を有することを特徴とする画像形成装置。
【発明の詳細な説明】
【技術分野】
【０００１】
本発明は、反射鏡を保持する反射鏡保持具、および、前記反射鏡保持具を有する光走査装置、ならびに、前記光走査装置を有する画像形成装置に関する。
【背景技術】
【０００２】
電子写真方式を用いた画像形成装置は、画像情報に対応したレーザビームを形成する光走査装置によって、帯電された感光体（像担持体）に潜像を形成し、この潜像が現像された現像像を記録媒体に転写し、この記録媒体上に画像を形成している。
【０００３】
近年、書類のフルカラー化が進み、電子写真方式によってフルカラー画像を形成する画像形成装置が利用されている。フルカラー画像形成装置は、イエロー（Ｙ）、マゼンタ（Ｍ）、シアン（Ｃ）、ブラック（Ｂｋ）の各色について現像像を形成し、各色の現像像を記録媒体に順次転写し、フルカラー画像を形成している。
【０００４】
フルカラー画像形成装置は、各色毎に独立した複数の感光体によって各色の現像像が記録媒体に転写されるタンデム方式と、一つの感光体によって各色の現像像が記録媒体に順次転写される４サイクル方式とがある。
【０００５】
タンデム方式は、記録媒体に各色の現像像が形成され、形成された各色の現像像が記録媒体に連続して転写される。４サイクル方式は、一度に一色の現像像が記録媒体に転写される。このため、タンデム方式は、４サイクル方式よりも約４倍高速に記録媒体に画像が形成される。このように、記録媒体に高速で画像が形成されることから、フルカラー画像形成装置においてタンデム方式が広く採用されている。
【０００６】
タンデム方式のフルカラー画像形成装置は、イエロー（Ｙ）とマゼンタ（Ｍ）とシアン（Ｃ）とブラック（Ｂｋ）との各色に対応した複数の感光体と、前記各色に対応した複数の光ビームが形成される光走査装置と、が設けられている。
【０００７】
前記フルカラー画像形成装置は、各色に対応した複数の光ビームによって、各色に対応した潜像が形成されるため、光ビームのずれによって色ずれが発生する。
【０００８】
光ビームのずれを補正することによって、色ずれを補正するフルカラー画像形成装置が種々提案されている（例えば、特許文献１参照。）。特許文献１に記載のフルカラー画像形成装置は、イエロー（Ｙ）、マゼンタ（Ｍ）、シアン（Ｃ）、ブラック（Ｂｋ）の各色に対応した複数の感光体ドラムと、この複数の感光体ドラムのそれぞれの色に対応した光ビームが出射される光走査装置と、が設けられている。
【０００９】
光走査装置は、半導体レーザ等のレーザ光源と、該レーザ光源から出射された光ビームを等角度走査させるポリゴンミラーと、該ポリゴンミラーによって等角度走査された光ビームを等速直線走査させるｆθレンズと、該ｆθレンズによって等速直線走査された光ビームを前記感光体ドラムに向かって反射させる反射鏡と、が設けられている。
【００１０】
光走査装置は、図２３に示すように、光走査装置の反射鏡２０４が、該反射鏡２０４の両端部を支持するブラケット２０２によって支持される。前記ブラケット２０２には、前記反射鏡２０４の両端部を押圧するクリップ２０７，２０８と、前記反射鏡の中心を鏡面に直交する方向に押圧する押圧部材２０３と、が設けられている。
【発明の概要】
【発明が解決しようとする課題】
【００１１】
しかしながら、特許文献１に記載の画像形成装置は、反射鏡２０４が、図２４に示すように、前記反射鏡２０４の中央部が凸状に変形され、且つ、前記反射鏡２０４の周辺部が凹状に変形された略Ｍ字形状となる。このため、反射鏡２０４によって反射された光ビームの走査線が変形され、色ずれの原因となる。
【００１２】
また、対向配置された複数の反射鏡２０４は、該反射鏡２０４の湾曲方向が対向するため、前記複数の反射鏡２０４によって反射された光ビームの走査線が補正されず、色ずれが補正されない。
【００１３】
さらに、反射鏡２０４に外部の振動が伝達されると、クリップ２０７，２０８と支持部２０５とを節とする定常波が形成され、この定常波同士が互いに強め合う共振現象が発生し、記録媒体に転写される画像にバンディング等の不具合が生ずる。
【００１４】
本発明は、反射鏡の湾曲を平坦化して保持する反射鏡保持具と、前記反射鏡保持具を有する光走査装置と、前記光走査装置を有する画像形成装置とを提供することを目的とする。
【課題を解決するための手段】
【００１５】
前記課題を解決し目的を達成するために、請求項１に記載された発明は、光ビームを出射する光源と、該光源から出射された光ビームを主走査方向に偏向させるとともに主走査方向に走査させる走査手段と、該走査手段によって主走査方向に偏向されるとともに主走査方向に走査された光ビームを反射する反射鏡と、を有する光走査装置における前記反射鏡を保持する反射鏡保持具であって、（イ）前記反射鏡保持具には、前記反射鏡の鏡面側を支持する支持部材と、前記反射鏡の鏡面の裏面側を押圧して支持する押圧部材と、前記反射鏡の鏡面側または裏面側を押し込む押込部材と、が設けられ、（ロ）前記支持部材および前記押圧部材が、それぞれ前記反射鏡保持具の両端部に設けられ、かつ、（ハ）前記押込部材が、前記反射鏡保持具の一端部に設けられており、前記反射鏡が、帯板形状を有し、前記反射鏡保持具が、主走査方向に延在する帯板部分と、該帯板部分の対向一対の長辺それぞれから立ち上がった対向一対の壁部分と、を有し、主走査方向と直交する断面が略コ字型形状となり、前記帯板部分に前記反射鏡の前記裏面が対向するように前記反射鏡を収納するものであり、前記支持部材および前記押圧部材が、それぞれ前記反射鏡保持具の長手方向両端部に設けられ、前記対向一対の壁部分の何れか一方の壁部分には、該一方の壁部分の前記一端部側における前記反射鏡の鏡面側の縁から、前記鏡面に向かって傾斜して延出した第一取付片、または、前記一端部側における前記反射鏡の裏面側の縁から、前記裏面に向かって傾斜して延出した第二取付片が設けられており、前記押込部材が、前記第一取付片または前記第二取付片に取り付けられていることを特徴とする反射鏡保持具である。
【００１７】
請求項２に記載された発明は、前記押込部材が、前記支持部材よりも前記反射鏡保持具の中心側に設けられていることを特徴とする請求項１に記載の反射鏡保持具である。
【００１８】
請求項３に記載された発明は、前記押圧部材が、前記支持部材よりも前記反射鏡保持具の中心側または前記支持部材よりも前記反射鏡保持具の端部側に設けられていることを特徴とする請求項１又は請求項２に記載の反射鏡保持具である。
【００１９】
請求項４に記載された発明は、前記押込部材が、前記反射鏡の全長Ｌに対して、前記反射鏡の一端から１／４Ｌ＜１／２Ｌの範囲、または、前記一端から１／２Ｌ＜３／４Ｌの範囲、に設けられていることを特徴とする請求項１〜請求項３のいずれか一項に記載の反射鏡保持具である。
【００２０】
請求項５に記載された発明は、前記押込部材が、前記反射鏡保持具に複数設けられていることを特徴とする請求項１〜請求項４のいずれか一項に記載の反射鏡保持具である。
【００２１】
請求項６に記載された発明は、前記押込部材が、固定手段によって固定されていることを特徴とする請求項１〜請求項５のいずれか一項に記載の反射鏡保持具である。
【００２２】
請求項７に記載された発明は、前記固定手段が、光硬化型接着剤とされていることを特徴とする請求項６に記載の反射鏡保持具である。
【００２３】
請求項８に記載された発明は、光ビームを出射する光源と、該光源から出射された光ビームを主走査方向に偏向させるとともに主走査方向に走査させる走査手段と、該走査手段によって主走査方向に主走査方向に偏向されるとともに主走査方向に走査された光ビームを反射する反射鏡と、を有する光走査装置において、前記反射鏡が、請求項１ないし請求項７のいずれか一項に記載の反射鏡保持具によって保持されていることを特徴とする光走査装置である。
請求項９に記載された発明は、前記反射鏡の傾きを調整して前記光ビームの反射方向を調整する調整手段を、さらに有することを特徴とする請求項８に記載の光走査装置である。
【００２４】
請求項１０に記載された発明は、請求項８または請求項９に記載の光走査装置と、該光走査装置から出射された光ビームによって潜像が形成される潜像担持体と、該潜像担持体に形成された潜像を現像する現像手段と、を有することを特徴とする画像形成装置である。
【発明の効果】
【００２５】
請求項１に記載された発明によれば、反射鏡保持具は、該反射鏡保持具の両端部に、反射鏡を支持する支持部材と、前記反射鏡を押圧して支持する押圧部材と、が設けられている。このため、反射鏡は、支持部材と押圧部材とによって支持されて湾曲形状に変形される。
【００２６】
さらに、反射鏡保持具は、一端部に、前記反射鏡を押し込む押込部材が設けられている。このため、反射鏡が、湾曲方向に対向する方向に押込部材が押し込まれて、鏡面の中央部分が平坦化される。よって、鏡面の中央部分によって反射された光ビームの走査線が直線化される。
【００２８】
請求項２に記載された発明によれば、押込部材は、支持部材よりも反射鏡保持具の中心側に設けられている。このため、支持部材と押込部材との間隔が、両端に設けられた支持部材と支持部材との間隔よりも狭くなる。従って、反射鏡に外部からの振動が伝達された際に、支持部材と押込部材とを節とする固有振動数が、支持部材と支持部材とを節とする固有振動数よりも上昇される。結果、反射鏡に振動が伝達された際の光ビームの走査線のずれが小さくなる。
【００２９】
請求項３に記載された発明によれば、押圧部材は、支持部材よりも反射鏡保持具の中心側に、あるいは、支持部材よりも反射鏡保持具の両端側に設けられている。このため、支持部材と押圧部材とによって支持された反射鏡の湾曲形状が、略Ｕ字形状に変形されたり、略逆Ｕ字形状に変形されたりする。よって、略Ｕ字形状に変形された反射鏡と、略逆Ｕ字形状に変形された反射鏡と、を一対として使用し、これらの反射鏡によって光ビームの走査線を反射させることで、前記走査線の変形が抑えられる。
【００３０】
請求項４に記載された発明によれば、反射鏡の一端から押込部材までの長さと、前記反射鏡の他端から前記押込部材までの長さとが、前記反射鏡の固有振動数λに対して、λ／２の整数倍の長さにならない。このため、外部からの振動が反射鏡に伝達された際に、反射鏡の一端と押込部材とを節とする振動と、前記反射鏡の他端と前記押込部材とを節とする振動とが、互いに強め合って共振するのが防止される。
【００３１】
請求項５に記載された発明によれば、押込部材は、反射鏡保持具に複数設けられている。このため、反射鏡の湾曲形状がより詳細に調整される。また、複数の押込部材によって複数の節が形成されるため、反射鏡の固有振動数がさらに上昇する。
【００３２】
請求項６に記載された発明によれば、押込部材が固定されるため、反射鏡の補正された状態が安定して維持される。
【００３３】
請求項７に記載された発明によれば、押込部材の調整後に、該押込部材の周囲に光が照射され、前記押込部材が固定される。よって、押込部材の調整後に、接着剤等を塗布しようとして、押込部材の調整が変更される虞がなくなる。
【００３４】
請求項８に記載された発明によれば、光ビームの走査線が直線化された光走査装置が得られる。また、耐振動性に優れた光走査装置が得られる。
請求項９に記載された発明によれば、反射鏡の傾斜が調整手段によって調整されるため、光ビームの走査線の傾きが補正される。
【００３５】
請求項１０に記載された発明よれば、色ずれやバンディング等の不良が発生が防止された画像形成装置を提供できる。
【図面の簡単な説明】
【００３６】
【図１】本発明の一実施形態にかかる画像形成装置の概略構成図である。
【図２】図１に示す画像形成装置のレーザスキャナの構成図である。
【図３】図２に示すレーザスキャナの反射鏡と反射鏡保持具とを示す平面図である。
【図４】図２に示す反射鏡と反射鏡保持具との一部拡大斜視図である。
【図５】図３に示す反射鏡保持具の平面図である。
【図６】図３に示す反射鏡保持具のクリップの斜視図である。
【図７】図３に示す反射鏡保持具の傾き調整装置の斜視図である。
【図８】図５に示す反射鏡保持具に反射鏡を保持させた状態を示す平面図である。
【図９】初期状態の反射鏡の湾曲変形を示す概略図である。
【図１０】初期状態の反射鏡の湾曲量を示す図である。
【図１１】調整後の反射鏡の湾曲変形を示す概略図である。
【図１２】調整後の反射鏡の湾曲量を示す図である。
【図１３】第二の実施形態にかかる反射鏡と反射鏡保持具とを示す平面図である。
【図１４】図１３に示す反射鏡保持具に反射鏡を保持させた状態を示す平面図である。
【図１５】初期状態の反射鏡の湾曲変形を示す概略図である。
【図１６】初期状態の反射鏡の湾曲量を示す図である。
【図１７】調整後の反射鏡の湾曲変形を示す概略図である。
【図１８】調整後の反射鏡の湾曲量を示す図である。
【図１９】第三の実施形態にかかる反射鏡と反射鏡保持具とを示す平面図である。
【図２０】第四の実施形態にかかる反射鏡と反射鏡保持具とを示す平面図である。
【図２１】第五の実施形態にかかる反射鏡と反射鏡保持具とを示す平面図である。
【図２２】初期状態の反射鏡の湾曲変形を示す概略図である。
【図２３】従来の反射鏡と反射鏡保持具とを示す平面図である。
【図２４】図２３に示す反射鏡の湾曲変形を示す概略図である。
【発明を実施するための形態】
【００３７】
以下、本発明の実施形態について、図１〜図２２を参照して説明する。
本発明の一実施形態にかかる画像形成装置１は、タンデム方式のフルカラーレーザプリンタである。画像形成装置１は、図１に示すように、筐体６内に、給紙部２と、画像形成部３と、定着部４と、排紙部５と、が設けられている。
【００３８】
給紙部２には、前記筐体６に着脱可能に設けられ且つ記録媒体としての用紙を搭載する給紙カセット１１と、該給紙カセット１１の用紙の一枚目を給紙する給紙ローラ１２と、該給紙ローラ１２から給紙された用紙の先端を突き当てて該用紙の傾きを補正するレジストローラ１３，１４と、が設けられている。
【００３９】
画像形成部３には、光走査装置としてのレーザスキャナ１５と、該レーザスキャナ１５によって形成された光ビームとしてのレーザビーム７１〜７４が走査される潜像担持体としての感光体ドラム１６〜１９と、該感光体ドラム１６〜１９に形成された現像像を用紙に転写する中間転写ベルト２７と、該中間転写ベルト２７が掛架された駆動ローラ２８と従動ローラ３０と、が設けられている。
【００４０】
感光体ドラム１６〜１９の外周側には、前記感光体ドラム１６〜１９の外周表面（被走査面）をマイナスの電荷に帯電させる帯電装置と、静電潜像をトナーで現像する現像手段としての現像装置と、残留トナーをクリーニングするクリーニング装置と、が設けられている。感光体ドラム１６〜１９は、前記帯電装置によって外周表面がマイナスに帯電され、帯電された外周表面にレーザビーム７１〜７４が照射されることによって、静電潜像が形成される。形成された潜像は、前記現像装置のトナーによって現像される。
【００４１】
感光体ドラム１６〜１９は、円筒形状に形成されたアルミニウム素管からなり、該アルミニウム素管の外周面に有機感光体層が形成されている。有機感光体層は、前記アルミニウム素管外周面にコーティングされるアンダコート層と、光電変換によってプラスの電荷とマイナスの電荷とを生ずる電荷発生層と、該電荷発生層で生じたプラスの電荷を輸送して表面に帯電されたマイナスの電荷を中和する電荷輸送層と、耐久性を向上させるオーバコート層と、を有している。
【００４２】
感光体ドラム１６は、イエロー（Ｙ）の画像形成信号に対応して走査されたレーザビーム７１によって前記有機感光体層に潜像が形成され、現像装置のイエロー（Ｙ）のトナーによって現像像が形成される。感光体ドラム１７は、マゼンタ（Ｍ）の画像形成信号に対応して走査されたレーザビーム７２によって前記有機感光体層に潜像が形成され、現像装置のマゼンタ（Ｍ）のトナーによって現像像が形成される。感光体ドラム１８は、シアン（Ｃ）の画像形成信号に対応して走査されたレーザビーム７３によって前記有機感光体層に潜像が形成され、現像装置のシアン（Ｃ）のトナーによって現像像が形成される。感光体ドラム１９は、ブラック（Ｂｋ）の画像形成信号に対応して走査されたレーザビーム７４によって前記有機感光体層に潜像が形成され、現像装置のブラック（Ｂｋ）のトナーによって現像像が形成される。
【００４３】
中間転写ベルト２７は、無端状ベルトであり、モータによって駆動される駆動ローラ２８と、従動ローラ３０とに掛架されている。中間転写ベルト２７は、前記駆動ローラ２８の回転駆動力によって矢示Ａ方向に周回される。
【００４４】
中間転写ベルト２７は、前記感光体ドラム１６〜１９の上部に用紙を順次搬送し、前記感光体ドラム１６に形成されたイエロー（Ｙ）のトナーの現像像と、前記感光体ドラム１７に形成されたマゼンタ（Ｍ）のトナーの現像像と、前記感光体ドラム１８に形成されたシアン（Ｃ）のトナーの現像像と、前記感光体ドラム１９に形成されたブラック（Ｂｋ）のトナーの現像像と、を順次用紙に転写する。
【００４５】
定着部４には、現像像が転写された用紙の各色のトナーに熱を加える定着ローラ３１と、前記用紙のトナーに圧力を加える加圧ローラ３２と、が設けられている。定着ローラ３１は、薄肉円筒形状に形成されたアルミニウム素管からなる。定着ローラ３１は、前記アルミニウム素管の外周面に、フッ素樹脂被膜を有するシリコーンゴム層が形成されている。定着ローラ３１は、前記アルミニウム素管内にハロゲンヒータが設けられている。
【００４６】
ハロゲンヒータは、前記アルミニウム素管の軸方向の全長に亘って設けられている。ハロゲンヒータによって、前記定着ローラ３１の外周表面が１６０〜１８０℃に加熱される。加圧ローラ３２は、円筒形状に形成されたアルミニウム素管の外周面にシリコーンゴム層が設けられている。
【００４７】
排紙部５には、前記定着ローラ３１と加圧ローラ３２とによって各色のトナーの現像像が定着された用紙を排紙する排紙ローラ３３，３４と、該排紙ローラ３３，３４から排紙された用紙をストックするフィニッシャ３５と、が設けられている。排紙ローラ３３，３４は、金属製の円柱形状の軸の外周に、ゴム製や合成樹脂のローラが設けられている。
【００４８】
本実施形態にかかるレーザスキャナ１５は、図２に示すように、ハウジング４１内に、光ビームとしてのレーザビーム７１〜７４を発射するレーザ光源と、該レーザ光源から発射されたレーザビーム７１〜７４を主走査方向（前記感光体ドラム１６〜１９の軸方向）に偏向させて等角度走査させる走査手段としてのポリゴンミラー５２，５３と、該ポリゴンミラー５２，５３によって主走査方向に等角度走査されたレーザビーム７１〜７４を等速直線走査に変換するｆθレンズ５４〜５７と、該ｆθレンズ５４〜５７によって等速直線走査されたレーザビーム７１〜７４を前記感光体ドラム１６〜１９の外周表面に向けて反射させる反射鏡６１〜６８と、が設けられている。
【００４９】
ハウジング４１は、該ハウジング４１内への塵などの侵入を防ぐとともに前記レーザビーム７１〜７４を透過させる防塵ガラス４３〜４６と、前記ハウジング４１を密閉する蓋４２と、を有している。
【００５０】
レーザ光源は、イエロー（Ｙ）の画像形成信号に対応するレーザビーム７１を出射するレーザダイオードと、マゼンタ（Ｍ）の画像形成信号に対応するレーザビーム７２を出射するレーザダイオードと、シアン（Ｃ）の画像形成信号に対応するレーザビーム７３を出射するレーザダイオードと、ブラック（Ｂｋ）の画像形成信号に対応するレーザビーム７４を出射するレーザダイオードと、が設けられている。
【００５１】
レーザ光源は、前記レーザダイオードと、該レーザダイオードから出射されたレーザビーム７１〜７４を平行光束にするコリメータレンズと、該コリメータレンズによって平行光束にされたレーザビーム７１〜７４のビーム幅を整形するスリットと、該スリットによってビーム幅が整形されたレーザビーム７１〜７４を主走査方向と副走査方向（前記感光体ドラム１６〜１９の周面方向）とに発散した光束とするシリンドリカルレンズと、が設けられている。
【００５２】
ポリゴンミラー５２，５３は、アルミニウムからなり、六角柱形状に形成されている。ポリゴンミラー５２，５３は、レーザビーム７１〜７４を反射する鏡面が六面形成されている。ポリゴンミラー５２，５３は、モータ等によって一分当たり数万回転されている。ポリゴンミラー５２によって、前記レーザ光源から出射されたレーザビーム７１，７４のそれぞれが主走査方向に走査されている。ポリゴンミラー５３によって、前記レーザ光源から出射されたレーザビーム７２，７３のそれぞれが主走査方向に走査されている。
【００５３】
反射鏡６１〜６８は、鏡面が高反射率のアルミニウムからなり、長さが４５０ミリメートル、幅が２０ミリメートル、厚さが２ミリメートルに形成されている。反射鏡６１〜６８は、レーザビーム７１〜７４を反射するのに使用される有効範囲が約３００ミリメートルとなっている。
【００５４】
反射鏡６１，６２は、イエロー（Ｙ）の画像形成信号に対応するレーザビーム７１を感光体ドラム１６の外周表面に向けて反射している。反射鏡６３，６４は、マゼンタ（Ｍ）の画像形成信号に対応するレーザビーム７２を感光体ドラム１７の外周表面に向けて反射している。反射鏡６５，６６は、シアン（Ｃ）の画像形成信号に対応するレーザビーム７３を感光体ドラム１８の外周表面に向けて反射している。反射鏡６７，６８は、ブラック（Ｂｋ）の画像形成信号に対応するレーザビーム７４を感光体ドラム１９の外周表面に向けて反射している。
【００５５】
反射鏡６１は、図３に示すように、前記反射鏡６１を保持する反射鏡保持具としてのブラケット８２と、前記反射鏡６１の傾斜を矢示Ｂ方向に調整する傾き調整装置８３と、前記反射鏡６１をハウジング４１上に支持する受け部９８と、該受け部９８側に前記反射鏡６１を付勢させる板ばね９７と、によって、前記ハウジング４１内に保持されている。反射鏡６２〜６８は、前記反射鏡６１と同様に、ブラケット８２と、傾き調整装置８３と、受け部９８と、板ばね９７と、によって前記ハウジング４１内に保持されている。
【００５６】
ブラケット８２は、図３に示すように、前記反射鏡６１の鏡面に係止する支持爪８４，８５と、前記反射鏡６１の鏡面の裏面を押圧する押圧部材としてのクリップ９５，９６と、前記反射鏡６１の鏡面側を押し込む押圧部材としてのネジ部材９３と、が設けられている。ブラケット８２は、図４に示すように、本体部８２ａと、該本体部８２ａの上部に屈曲形成された上面部８２ｂと、前記本体部８２ａの下部に屈曲形成された下面部８２ｃと、からなる断面略コ字形状に形成されている。
【００５７】
支持爪８４，８５は、図３に示すように、前記ブラケット８２の両端部に設けられている。支持爪８４は、図４に示すように、上面部８２ｂに形成された支持爪８４ａと、下面部８２ｃに形成された支持爪８４ｂと、が一対となって形成されている。支持爪８５は、支持爪８４と同様に、上面部８２ｂに形成された支持爪と、下面部８２ｃに形成された支持爪とが一対となって形成されている。
【００５８】
クリップ９５，９６は、図３に示すように、前記ブラケット８２の両端側、且つ、前記支持爪８４，８５よりも前記ブラケット８２の中心側に設けられている。クリップ９５，９６は、図４に示すように、前記反射鏡６１の鏡面の裏面と、前記ブラケット８２の本体部８２ａとの間に狭持されている。クリップ９５，９６は、前記反射鏡６１の鏡面の裏面を、該鏡面に略直交する方向に押圧している。
【００５９】
クリップ９５，９６は、図６に示すように、前記ブラケット８２の本体部８２ａに取り付けられる取手部９５ａと、前記本体部８２ａに設けられた係合突起と係合する係合孔９５ｂと、折り曲げ部９５ｃと、前記反射鏡６１の鏡面の裏面を押圧する押圧部９５ｄと、が形成されている。クリップ９５，９６は、ばね用冷間圧延鋼帯からなり、プレス加工等によって成形されている。
【００６０】
ネジ部材９３は、図３に示すように、前記ブラケット８２の一端部、且つ、前記支持爪８４と前記クリップ９５とよりも前記ブラケット８２の中心側に設けられている。ネジ部材９３は、図４に示すように、前記上面部８２ｂから延設された取付片８６の取付孔８６ａ（図５に示す）に螺合されている。このため、反射弓６１は、前記ネジ部材９３の締め付けに応じて前記反射鏡６１の湾曲形状が調整される。
【００６１】
ネジ部材９３は、前記反射鏡６１に当接する部分に固定手段としての接着剤が塗布されている。接着剤は、アクリル樹脂を主成分とする紫外線硬化型接着剤が使用されている。このため、反射鏡６１の湾曲がネジ部材９３によって補正された後、前記ネジ部材９３と前記反射鏡６１とが当接している部分に紫外線を照射することによって、前記ネジ部材９３が前記反射鏡６１に当接した状態で固定される。よって、反射鏡６１は、湾曲形状が前記ネジ部材９３によって補正された形状で安定して保持される。
【００６２】
図５に示すように、反射鏡６１〜６８と、クリップ９５，９６と、ネジ部材９３と、が保持されていないブラケット８２は、前記反射鏡６１〜６８の鏡面を支持する支持爪８４，８５と、前記反射鏡６１の鏡面の裏面を押圧して支持するクリップ９５，９６が取り付けられる第一取付部８８，８９と第二取付部９０，９１と、が両端部にそれぞれ設けられている。
【００６３】
第一取付部８８，８９は、前記支持爪８４，８５よりも前記ブラケット８２の中心側に設けられている。第二取付部９０，９１は、前記支持爪８４，８５よりも前記ブラケット８２の両端側に設けられている。第二取付部９０は、図４に示すように、クリップ９５に形成された係合孔９５ｂに係合する係合突起９０ａが設けられている。第一取付部８８，８９と、第二取付部９１とは、前記第二取付部９０と同様に、係合突起が設けられている。
【００６４】
ブラケット８２は、前記反射鏡６１〜６８の裏面を押し込むネジ部材９３が取り付けられる第一取付片８６と、前記反射鏡６１〜６８の鏡面の裏面を押し込むネジ部材９３が取り付けられる第二取付片８７と、が一端部、且つ、前記支持爪８４と前記第一取付部８８よりも前記ブラケット８２の中心側にそれぞれ設けられている。第一取付片８６は、ネジ部材９３が螺合する取付孔８６ａが形成されている。第二取付片８７は、ネジ部材９３が螺合する取付孔８７ａが形成されている。
【００６５】
傾き調整装置８３は、図７に示すように、前記反射鏡６１〜６８の傾斜を調整するパルスモータ１０１と、該パルスモータ１０１を前記ハウジング４１に固定するホルダ１０４と、が設けられている。前記パルスモータ１０１は、図示しない回転軸の回動に伴って伸縮するアジャスタ１０２と、前記パルスモータ１０１を駆動する電力が供給されるコネクタ１０３と、を有している。アジャスタ１０２は、連結部材１０５（図３に示す）を介して前記反射鏡６１〜６８の一端に連結されている。
【００６６】
受け部９８は、図３に示すように一端が前記ハウジング４１に固定されているとともに、他端が前記反射鏡６１〜６８の鏡面に当接されている。板ばね９７は、一端が前記ハウジング４１に固定されているとともに、他端が前記反射鏡６１〜６８の鏡面の裏面に付勢されている。このため、前記反射鏡６１〜６８は、前記受け部９８と前記板ばね９７とによって支持される他端側を支点として、一端側を矢示Ｂ方向に移動することで、所望の傾斜とすることができる。
【００６７】
上述の如く構成された画像形成装置１は、レーザスキャナ１５の反射鏡６１〜６８の湾曲補正が、前記画像形成装置１の出荷時に行われる。画像形成装置１の組立直後の初期状態は、図８に示すように、反射鏡６１は、ブラケット８２の支持爪８４，８５と、クリップ９５，９６とによって支持される。反射鏡６２〜６８は、前記反射鏡６１と同様に、支持爪８４，８５と、クリップ９５，９６とによって支持される。
【００６８】
このため、初期状態の反射鏡６１〜６８は、図９に示すように、点線で示すような略Ｕ字形状に湾曲する。初期状態の反射鏡６１〜６８は、レーザビーム７１〜７４を反射する有効範囲の約３００ミリメートルにおいて、図１０に示すように、湾曲量が約１００マイクロメートルとなる。
【００６９】
この初期状態から、第一取付片８６の取付孔８６ａにネジ部材９３を螺合して前記反射鏡６１の鏡面を押し込むことによって、図３に示すように、反射鏡６１が補正された状態となる。
【００７０】
補正された状態の反射鏡６１は、図１１に示すように、点線で示すような形状に湾曲変形される。補正された状態の反射鏡６１は、図１２に示すように、鏡面の有効範囲の約３００ミリメートルにおいて、湾曲量が約２０マイクロメートルとなる。
【００７１】
傾き調整装置８３によって、反射鏡６１〜６８の有効範囲内の鏡面を、感光体ドラム１６〜１９の外周表面に対して略平行に調整し、前記反射光６１〜６８の湾曲補正が完了される。
【００７２】
上述の一実施形態にかかる画像形成装置１のレーザスキャナ１５の反射鏡６１〜６８を保持するブラケット８２は、反射鏡６１〜６８の鏡面側を支持する支持爪８４，８５と、前記反射光６１〜６８の鏡面の裏面を押圧して支持するクリップ９５，９６と、前記反射光６１〜６８の鏡面を押し込むネジ部材９３と、が設けられている。前記支持爪８４，８５と、前記クリップ９５，９６とは、前記ブラケット８２の両端部に設けられている。前記ネジ部材９３は、前記ブラケット８２の一端部に設けられている。
【００７３】
このため、一端部に設けられたネジ部材９３によって、略Ｕ字形状に湾曲変形された反射光６１〜６８の湾曲方向に対向する方向に該反射光６１〜６８が押し込まれるため、レーザビーム７１〜７４を反射するのに使用される有効範囲内の鏡面が平坦化される。よって、反射光６１〜６８によって反射されたレーザビーム７１〜７４の走査線が直線化される。
【００７４】
傾き調整装置８３によって、反射鏡６１〜６８によって反射されたレーザビーム７１〜７４の走査線が、前記感光体ドラム１６〜１９の外周表面に略平行とされる。このように、レーザビーム７１〜７４の走査線が直線化されるととともに、感光体ドラム１６〜１９の外周表面に略平行とされるため、フルカラー画像形成装置における色ずれが防止される。
【００７５】
（第二の実施形態）
次に、本発明にかかる画像形成装置１のレーザスキャナ１５の反射鏡６１〜６８を保持するブラケット８２の第二の実施形態について、図面を参照して説明する。なお、前述した実施形態と同一部分には、同一の符号を付して説明を省略する。
【００７６】
反射鏡６１は、図１３に示すように、ブラケット８２に保持されている。反射鏡６１は、一端に傾き調整装置８３が設けられ、他端に受け部９８と板ばね９７とが設けられている。反射鏡６２〜６８は、前記反射鏡６１と同様に、ブラケット８２に保持されており、傾き調整装置８３と、受け部９８と板ばね９７と、が設けられている。
【００７７】
ブラケット８２は、図１３に示すように、支持爪８４，８５よりも前記ブラケット８２の両端側に形成された第二取付部９０，９１に、反射鏡６１の鏡面の裏面を押圧して支持するクリップ９５，９６が設けられている。ブラケット８２は、支持爪８４よりも前記ブラケット８２の中心側に形成された第二取付片８７に、反射鏡６１の鏡面の裏面を押し込むネジ部材９３が設けられている。
【００７８】
レーザスキャナ１５の反射鏡６１〜６８の湾曲補正は、画像形成装置１の出荷時に行われており、前記画像形成装置１の組立直後の初期状態は、図１４に示すように、反射鏡６１は、ブラケット８２の支持爪８４，８５と、前記ブラケット８２の両端に設けられたクリップ９５，９６とによって支持される。このため、初期状態の反射鏡６１は、図１５に示すように、点線で示すような略逆Ｕ字形状に湾曲変形する。初期状態の反射鏡６１は、図１６に示すように、鏡面の有効範囲内の約３００ミリメートルにおいて、湾曲量が約１００マイクロメートルとなる。
【００７９】
この初期状態から、第二取付片８７の取付孔８７ａにネジ部材９３を螺合することによって、図１３に示すように、反射鏡６１が補正された状態となる。補正された反射鏡６１は、図１７に示すように、点線で示すような形状に湾曲変形する。補正された反射鏡６１は、図１８に示すように、鏡面の有効範囲内の約３００ミリメートルにおいて、湾曲量が約２０マイクロメートルとなる。
【００８０】
傾き調整装置８３によって、反射鏡６１〜６８の有効範囲内の鏡面を、感光体ドラム１６〜１９の外周表面に略平行に調整し、前記反射鏡６１〜６８の湾曲補正が完了される。
【００８１】
上述の第二の実施形態にかかる画像形成装置１のレーザスキャナ１５の反射鏡６１〜６８を保持するブラケット８２は、反射鏡６１〜６８の鏡面側を支持する支持爪８４，８５と、前記反射鏡６１〜６８の鏡面の裏面側を押圧して支持するクリップ９５，９６と、前記反射鏡６１〜６８の鏡面の裏面側を押し込むネジ部材９３と、を備えている。前記支持爪８４，８５と前記クリップ９５，９６とは、前記ブラケット８２の両端部に設けられている。前記ネジ部材９３は、前記ブラケット８２の一端部に設けられている。
【００８２】
このため、一端部に設けたネジ部材９３によって、略逆Ｕ字形状に湾曲変形した反射鏡６１〜６８の湾曲方向に対向する方向に該反射鏡６１〜６８が押し込まれるため、レーザビーム７１〜７４を反射する有効範囲内の鏡面が比較的平坦となる。よって、反射鏡６１〜６８によって反射されたレーザビーム７１〜７４の走査線が直線化される。
【００８３】
また、傾き調整装置８３によって、反射鏡６１〜６８の有効範囲内の鏡面が、感光体ドラム１６〜１９の外周表面に略平行に調整される。このように、レーザビーム７１〜７４の走査線が直線化されるととともに、感光体ドラム１６〜１９の外周表面に略平行とされるため、フルカラー画像形成装置における色ずれが防止される。
【００８４】
（第三の実施形態）
次に、本発明にかかる画像形成装置１のレーザスキャナ１５の反射鏡６１〜６８を保持するブラケット８２の第三の実施形態について、図面を参照して説明する。なお、前述した実施形態と同一部分には、同一の符号を付して説明を省略する。
【００８５】
反射鏡６１は、図１９に示すように、ブラケット８２Ａに保持されている。反射鏡６１は、一端に傾き調整装置８３が設けられ、他端に受け部９８と板ばね９７とが設けられている。反射鏡６２〜６８は、前記反射鏡６１と同様に、ブラケット８２Ａに保持されており、傾き調整装置８３と、受け部９８と板ばね９７と、が設けられている。
【００８６】
ブラケット８２Ａは、前記ブラケット８２Ａの両端側に設けられた支持爪８４，８５と、該支持爪８４，８５よりも前記ブラケット８２Ａの中心側に設けられた第一取付部８８，８９と、前記支持爪８４，８５よりも前記ブラケット８２Ａの両端側に設けられた第二取付部９０，９１と、前記支持爪８４，８５よりも前記ブラケット８２Ａの中心側に設けられた前方取付片９２と後方取付片９４，９９と、が設けられている。
【００８７】
反射鏡６１は、ブラケット８２Ａの両端側に設けられた支持爪８４，８５と、第二取付部９０，９１に設けられたクリップ９５，９６と、に支持されている。反射鏡６１は、後方取付片９４に設けられたネジ部材９３によって前記反射鏡６１の逆Ｕ字形状の湾曲方向に対向する方向に押し込まれている。なお、第一取付部８８，８９にクリップ９５，９６を設ける場合は、前方取付片９２にネジ部材９３を設ける。
【００８８】
前方取付片９２と後方取付片９４，９９とは、反射鏡６１の全長Ｌに対して、該反射鏡６１の一端を始点とし、１／４Ｌ＜１／２Ｌの範囲、かつ、１／２Ｌ＜３／４Ｌの範囲に設けられている。
【００８９】
この範囲は、固有振動数λを有する反射鏡６１において、該反射鏡６１の一端から後方取付片９４までの長さと、前記反射鏡６１の他端から前記後方取付片９４までの長さと、がλ／２の整数倍とならない長さの範囲となっている。このため、反射鏡６１の一端と後方取付片９４とを節とする固有振動と、前記反射鏡６１の他端と前記後方取付片９４とを節とする固有振動と、が互いに強め合う共振現象が防止される。
【００９０】
上述の第三の実施形態にかかる画像形成装置１のレーザスキャナ１５の反射鏡６１〜６８を保持するブラケット８２Ａは、反射鏡６１〜６８の全長Ｌに対してネジ部材９３が、１／４Ｌ＜１／２Ｌの範囲、または、１／２Ｌ＜３／４Ｌの範囲、に設けられている。
【００９１】
このため、反射鏡６１〜６８の一端からネジ部材９３までの長さと、前記反射鏡６１〜６８の一端から前記ネジ部材９３までの長さと、がλ／２の整数倍とならない。よって、反射鏡６１〜６８の一端とネジ部材９３とを節とする固有振動と、前記反射鏡６１〜６８の他端から前記ネジ部材９３とを節とする固有振動と、が互いに強め合う共振現象が防止される。
【００９２】
従って、反射鏡６１〜６８が共振することによって生ずるバンディング等の不良の発生が防止される。その結果、フルカラー画像形成装置における色ずれやバンディング等の不良が防止される。
【００９３】
（第四の実施形態）
次に、本発明にかかる画像形成装置１のレーザスキャナ１５の反射鏡６１〜６８を保持するブラケット８２の第四の実施形態について、図面を参照して説明する。なお、前述した実施形態と同一部分には、同一の符号を付して説明を省略する。
【００９４】
反射鏡６１は、図２０に示すように、ブラケット８２Ｂに保持されている。反射鏡６１は、一端に傾き調整装置８３が設けられ、他端に受け部９８と板ばね９７とが設けられている。反射鏡６２〜６８は、前記反射鏡６１と同様に、ブラケット８２Ｂに保持されており、傾き調整装置８３と、受け部９８と板ばね９７と、が設けられている。
【００９５】
ブラケット８２Ｂは、前記ブラケット８２Ｂの両端部に設けられた支持爪８４，８５と、該支持爪８４，８５よりも前記ブラケット８２Ｂの中心側に設けられた第一取付部８８，８９と、前記支持爪８４，８５よりも前記ブラケット８２Ｂの両端側に設けられた第二取付部９０，９１と、前記支持爪８４，８５よりも前記ブラケット８２Ｂの中心側に設けられた第一取付片８６と第二取付片８７と第一防振取付片１１１と第二防振取付片１１２と、を備えている。
【００９６】
反射鏡６１は、ブラケット８２Ｂの両端側に設けられた支持爪８４，８５と、第二取付部９０，９１に取り付けられたクリップ９５，９６と、に支持されている。反射鏡６１は、第二取付片８７に設けられたネジ部材９３と、第一防振取付片１１１に設けられたネジ部材１１３と、第二防振取付片１１２に設けられたネジ部材１１４と、によって前記反射鏡の逆Ｕ字形状の湾曲方向に対向する方向に押し込まれている。
【００９７】
上述の第四の実施形態にかかる画像形成装置１のレーザスキャナ１５の反射鏡６１〜６８を保持するブラケット８２Ｂは、該ブラケット８２Ｂの両端部に設けた支持爪８４，８５よりも前記ブラケット８２Ｂの中心側に設けられた第一取付片８６と、第二取付片８７と、第一防振取付片１１１と、第二防振取付片１１２と、を備える。
【００９８】
このため、反射鏡６１〜６８は、複数のネジ部材９３によって複数箇所押し込まれる。よって、反射鏡６１〜６８の湾曲変形を細かく調整することができる。また、反射鏡６１〜６８は、複数のネジ部材９３によって複数の節が形成されるため、反射鏡６１〜６８の固有振動数がさらに上昇する。
【００９９】
従って、反射鏡６１〜６８が振動することによって生ずるバンディング等の不良の発生が防止される。その結果、フルカラー画像形成装置における色ずれやバンディング等が防止される。
【０１００】
（第五の実施形態）
次に、本発明にかかる画像形成装置１のレーザスキャナ１５の第一反射鏡６１と、第二反射鏡６２とをそれぞれ保持するブラケット８２について、図面を参照して説明する。なお、前述した実施形態と同一部分には、同一の符号を付して説明を省略する。
【０１０１】
図２１に示すように、主走査方向に走査するレーザビーム７１を反射させる第一反射鏡６１と、該第一反射鏡６１によって反射されたレーザビーム７１を感光体ドラム１６の外周表面に向けて反射させる第二反射鏡６２と、がそれぞれ、ブラケット８２に保持されている。
【０１０２】
第一反射鏡６１は、一端に傾き調整装置８３が設けられ、他端に受け部９８と板ばね９７とが設けられ、ハウジング４１内に保持されている。他の第一反射鏡６３，６５，６７は、前記第一反射鏡６１と同様に、ブラケット８２Ｂに保持されており、傾き調整装置８３と、受け部９８と板ばね９７と、が設けられ、ハウジング４１内に保持されている。
【０１０３】
第二反射鏡６２は、図示しない支持部材を介してレーザスキャナ１５のハウジング４１に固定されている。他の第二反射鏡６４，６６，６８は、前記第二反射鏡６２と同様に、支持部材を介してハウジング４１に固定されている。
【０１０４】
ブラケット８２は、該ブラケット８２の両端側に設けられた支持爪８４，８５と、該支持爪８４，８５よりも前記ブラケット８２の中心側に設けられた第一取付部８８，８９と、前記支持爪８４，８５よりも前記ブラケット８２の両端側に設けられた第二取付部９０，９１と、前記支持爪８４よりも前記ブラケット８２の中心側の一端部に設けられた第一取付片８６と第二取付片８７と、を備えている。
【０１０５】
第一反射鏡６１は、ブラケット８２の支持爪８４，８５と、第一取付部８８，８９に取り付けられたクリップ９５，９６と、に支持されている。第一反射鏡６１は、第一取付片８６に設けられたネジ部材９３によって、略Ｕ字形状に湾曲した湾曲方向に対向する方向に押し込まれている。
【０１０６】
第二反射鏡６２は、ブラケット８２の支持爪８４，８５と、第二取付部９０，９１に取り付けられたクリップ９５，９６と、に支持されている。第二反射鏡６２は、第二取付片８７に設けられたネジ部材９３によって、略Ｕ字形状に湾曲した湾曲方向に対向する方向に押し込まれている。
【０１０７】
上述の如く構成された画像形成装置１は、レーザスキャナ１５の反射鏡６１〜６８の湾曲補正が、前記画像形成装置１の出荷時に行われる。画像形成装置１の組立直後の初期状態の第一反射鏡６１と第二反射鏡６２は、図２２に示すように、点線で示すような略Ｕ字形状に湾曲する。
【０１０８】
この初期状態から、第一反射鏡６１を保持するブラケット８２の第一取付片８６にネジ部材９３が螺合され、第二反射鏡６２を保持するブラケット８２の第二取付片８７にネジ部材９３が螺合され、図２１に示すように、第一反射鏡６１と第二反射鏡６２とが補正された状態となる。
【０１０９】
補正された状態の第一反射鏡６１と第二反射鏡６２とは、図１２に示すように、点線で示すような形状に湾曲変形される。
【０１１０】
傾き調整装置８３によって、第一反射鏡６１の有効範囲内の鏡面を、感光体ドラム１６あるいは第二反射鏡６２などに対して略平行に調整し、前記第一反射光６１と第二反射鏡６２との湾曲補正が完了される。
【０１１１】
上述の第五の実施形態にかかる画像形成装置１のレーザスキャナ１５の第一反射鏡６１，６３，６５，６７と第二反射鏡６２，６４，６６，６８とを保持するブラケット８２は、反射鏡６１〜６８の鏡面側を支持する支持爪８４，８５と、前記反射鏡６１〜６８の鏡面の裏面側を押圧して支持するクリップ９５，９６と、前記反射鏡６１〜６８の鏡面側あるいは裏面側を押し込むネジ部材９３と、が設けられている。前記支持爪８４，８５と前記クリップ９５，９６とは、前記ブラケット８２の両端部に設けられている。前記ネジ部材９３は、前記ブラケット８２の一端部に設けられている。
【０１１２】
このため、第一反射鏡６１の初期状態の湾曲の湾曲方向と、第二反射鏡６２の初期状態の湾曲の湾曲方向とが、図２２に示すように、同じ方向とされる。
【０１１３】
従って、レーザビーム７１〜７４の走査線が第一反射鏡６１と第二反射鏡６２とで一致され、走査線の変形が防止される。その結果、フルカラー画像形成装置における色ずれやバンディング等が防止される。
【０１１４】
なお、前述した実施形態は、本発明の代表的な形態を示したに過ぎず、本発明は、実施形態に限定されるものではない。即ち、本発明の骨子を逸脱しない範囲で種々変形して実施することができる。
【符号の説明】
【０１１５】
１  画像形成装置
５２，５３  ポリゴンミラー
６１，６３，６５，６７  第一反射鏡
６２，６４，６６，６８  第二反射鏡
７１，７２，７３，７４  レーザビーム
８２  ブラケット
８３  傾き調整装置
８４，８５  支持爪
８６  第一取付片
８７  第二取付片
８８，８９  第一取付部
９０，９１  第二取付部
９３  ネジ部材
９５，９６  クリップ
【先行技術文献】
【特許文献】
【０１１６】
【特許文献１】特開２００９−１４５４９５号公報
【図１】
0005630246.tif 000002
【図２】
0005630246.tif 000003
【図３】
0005630246.tif 000004
【図４】
0005630246.tif 000005
【図５】
0005630246.tif 000006
【図６】
0005630246.tif 000007
【図７】
0005630246.tif 000008
【図８】
0005630246.tif 000009
【図９】
0005630246.tif 000010
【図１０】
0005630246.tif 000011
【図１１】
0005630246.tif 000012
【図１２】
0005630246.tif 000013
【図１３】
0005630246.tif 000014
【図１４】
0005630246.tif 000015
【図１５】
0005630246.tif 000016
【図１６】
0005630246.tif 000017
【図１７】
0005630246.tif 000018
【図１８】
0005630246.tif 000019
【図１９】
0005630246.tif 000020
【図２０】
0005630246.tif 000021
【図２１】
0005630246.tif 000022
【図２２】
0005630246.tif 000023
【図２３】
0005630246.tif 000024
【図２４】
0005630246.tif 000025